(57)【要約】      （修正有）【課題】紙屑容量を増やし紙屑を捨てる頻度を減らすことができる揺動装置の提供。【解決手段】本考案は紙屑容量を増加する揺動装置であって、機体に挿通される押圧部品、機体底部に配設された紙撥ね板、該押圧部品と紙撥ね板の間に連結された連接棒を包含し、該連接棒により押圧部品の上下移動の動作を、紙撥ね板の揺動に変換して屑受箱に堆積して山状となった紙屑を周囲に撥ね飛ばして平らにし、紙屑の占用空間を減らして屑受箱の容量を増やす。【選択図】図４
0003137196.tif 000002
【実用新案登録請求の範囲】
【請求項１】
紙屑容量を増加する揺動装置において、
シュレッダーの機体に挿通される押圧部品と、
シュレッダーの機体の底部に配設された紙撥ね板と、
該押圧部品と該紙撥ね板の間に連結されて、該押圧部品の上下移動の動作を、紙撥ね板の揺動に変換する連接棒と、
を包含したことを特徴とする、紙屑容量を増加する揺動装置。
【請求項２】
請求項１記載の紙屑容量を増加する揺動装置において、該シュレッダーの機体に機体を貫通して該押圧部品の取付に供される貫通孔が設けられタことを特徴とする、紙屑容量を増加する揺動装置。
【請求項３】
請求項１記載の紙屑容量を増加する揺動装置において、該押圧部品は該機体の底部を貫通する貫通ロッドと、該機体の上部を貫通する押圧ロッドを包含することを特徴とする、紙屑容量を増加する揺動装置。
【請求項４】
請求項３記載の紙屑容量を増加する揺動装置において、該押圧部品は、該機体の該押圧ロッドが貫通する部分に設けられたバネを具え、該バネが該押圧ロッドを常態で上向きに弾性支持することを特徴とする、紙屑容量を増加する揺動装置。
【請求項５】
請求項１記載の紙屑容量を増加する揺動装置において、該連接棒の中心部分は直接該機体の底部位置に軸設され、該紙撥ね板及び該押圧部品はそれぞれ該連接棒の両端に枢設され、該連接棒の、該押圧部品が枢設される一端に、溝孔が設けられたことを特徴とする、紙屑容量を増加する揺動装置。
【考案の詳細な説明】
【技術分野】
【０００１】
本考案はシュレッダーに係り、特に、紙屑間隙を減らして屑受箱の容量を増加できる揺動装置に関する。
【背景技術】
【０００２】
周知のとおり、紙を破砕するシュレッダーの作動原理は、複数のカッタブレード（ｃｕｔｔｉｎｇ  ｂｌａｄｅｓ）にスペーサ（ｓｐａｃｅｒｓ）が組み合わされて回転軸（ｒｏｔａｒｙ  ｓｈａｆｔ）に嵌合され、モータと歯車装置（ｍｏｔｏｒ  ａｎｄ  ｇｅａｒ  ｂｏｘ）を利用し、紙に２本が平行で且つ相対回転する該回転軸を通過させてカッタブレードにより紙を切断しストライプ状となす、というものである。
【０００３】
シュレッダーはその機械切断モードの違いにより、ストライプ式シュレッダー（ｓｔｒｉｐｅ−ｃｕｔ  ｓｈｒｅｄｄｅｒｓ）とクロスカット式シュレッダー（ｃｒｏｓｓ−ｃｕｔ  ｓｈｒｅｄｄｅｒｓ）の二種類に分けられ、前者はカッタブレードが回転ブレードホイールに規格配列され、紙を縦方向に切断しストライプ状となし、後者はカッタブレードに一つ以上のフック状の刃が設けられ、且つカッタブレードが回転ブレードホイール上で螺旋状に配列され、紙が縦向きに切断されてストライプ状とされるだけでなく、さらに横向きに裁断されて粉砕状の屑とされる。
【考案の開示】
【考案が解決しようとする課題】
【０００４】
上述のストライプ式シュレッダー或いはクロスカット式シュレッダーのいずれも、一般に販売時には屑を入れるための屑受箱（ｂａｓｋｅｔ  ｏｒ  ｂｉｎ）が組み合わされている。上述したように、シュレッダーのカッタブレードはモータ及び歯車装置で二本の平行で且つ相対回転する回転軸が駆動され、通過する紙に対して切断しストライプ状とするか破砕状となし、その後さらにシュレッダー底部の落紙口より屑受箱内に落とす。軽い紙屑は不規則な方式で堆積し、相互間の間隙が大きく、屑受箱は満紙状態になりやすい。このほか数量の増加により、紙屑が容易に落紙口の下方に堆積して山形となりやすく、高さが落紙口付近に到達すると、後続の紙屑の順調な落下を妨げ、さらには紙屑がカッタブレードに巻き込まれて紙詰まり（ｊａｍ）を形成し、シュレッダーの正常な運転の機能に影響を与える。
【０００５】
使用者は堆積した紙屑をかき回してそれを平らにならして、屑受箱の紙屑を収容できる空間を大きくして屑受箱の容量を増し、これにより屑受箱の掃除の頻度を減らすことができる。特に、上述の紙の山が後続の紙屑の落下を妨害してさらには紙詰まりの故障状況を形成するのを防止しなくてはならない。
【課題を解決するための手段】
【０００６】
請求項１の考案は、紙屑容量を増加する揺動装置において、
シュレッダーの機体に挿通される押圧部品と、
シュレッダーの機体の底部に配設された紙撥ね板と、
該押圧部品と該紙撥ね板の間に連結されて、該押圧部品の上下移動の動作を、紙撥ね板の揺動に変換する連接棒と、
を包含したことを特徴とする、紙屑容量を増加する揺動装置としている。
請求項２の考案は、請求項１記載の紙屑容量を増加する揺動装置において、該シュレッダーの機体に機体を貫通して該押圧部品の取付に供される貫通孔が設けられタことを特徴とする、紙屑容量を増加する揺動装置としている。
請求項３の考案は、請求項１記載の紙屑容量を増加する揺動装置において、該押圧部品は該機体の底部を貫通する貫通ロッドと、該機体の上部を貫通する押圧ロッドを包含することを特徴とする、紙屑容量を増加する揺動装置としている。
請求項４の考案は、請求項３記載の紙屑容量を増加する揺動装置において、該押圧部品は、該機体の該押圧ロッドが貫通する部分に設けられたバネを具え、該バネが該押圧ロッドを常態で上向きに弾性支持することを特徴とする、紙屑容量を増加する揺動装置としている。
請求項５の考案は、請求項１記載の紙屑容量を増加する揺動装置において、該連接棒の中心部分は直接該機体の底部位置に軸設され、該紙撥ね板及び該押圧部品はそれぞれ該連接棒の両端に枢設され、該連接棒の、該押圧部品が枢設される一端に、溝孔が設けられたことを特徴とする、紙屑容量を増加する揺動装置としている。
【考案の効果】
【０００７】
本考案は、使用者が簡単な手動操作で、揺動装置に紙屑に対する押圧と撥ね飛ばしの動作を行なわせられて、これにより紙屑間隙を減らして屑受箱の容量を増す効果を達成できる。
【０００８】
本考案は、使用者が簡単な手動操作で、揺動装置に紙屑に対する押圧と撥ね飛ばしの動作を行なわせて、これにより堆積し山状となった紙屑を周囲に撥ね飛ばしつつ押圧して平らにならし、これにより後続して落下する紙屑が回転するカッタブレードに巻き込まれて紙詰まりが発生するのを防止できる。
【考案を実施するための最良の形態】
【０００９】
本考案は一種の紙屑容量を増加する揺動装置を提供し、それは、機体に挿通される押圧部品、機体底部に配設された紙撥ね板、該押圧部品と紙撥ね板の間に連結された連接棒を包含し、該連接棒により押圧部品の上下移動の動作を、紙撥ね板の揺動に変換して屑受箱に堆積して山状となった紙屑を周囲に撥ね飛ばしつつ押圧して平らにし、紙屑の占用空間を減らして屑受箱の容量を増し、これにより紙屑を捨てる頻度を減らす。
【実施例１】
【００１０】
図１は本考案を取り付けたシュレッダーの外観立体図であり、図２は本考案の揺動装置の外観立体図、図３は本考案の揺動装置の断面図、図４は本考案の揺動装置の動作図である。
【００１１】
該シュレッダー１０の機体１１は、屑受箱１２の上部開口に置かれ、該機体１１に貫通する貫通孔１１１が設けられる。
【００１２】
揺動装置２０は押圧部品２１、紙撥ね板２２及び連接棒２３を包含する。そのうち、押圧部品２１は機体１１の貫通孔１１１に挿通され、紙撥ね板２２は機体１１の底部に配置され、連接棒２３は押圧部品２１と紙撥ね板２２の間に連結され、押圧部品２１と紙撥ね板２２の間の連動を構成する。
【００１３】
上述の連接棒２３の中心部分は直接機体１１の底部位置に軸設され、紙撥ね板２２及び押圧部品２１は連接棒２３の両端に枢設され、該連接棒２３は押圧部品２１の枢設された一端に溝孔２３１を有し、押圧部品２１の上下移動の動作を紙撥ね板２２の揺動に変換する。
【００１４】
具体的な実施時には、さらに機体１１の底部に挿通される貫通ロッド２１１及び機体１１の上部に挿通される押圧ロッド２１２を包含し、該貫通ロッド２１１と押圧ロッド２１２は機体１１の内部で接合され、貫通ロッド２１１の機体１１より突出する一端は連接棒２３の溝孔２３１に枢設され、押圧ロッド２１２の機体１１より突出する一端は使用者の手による操作に供され、押圧部品２１の機体１１にあって押圧ロッド２１２が挿通される部分に、バネ２１３が設けられテ、押圧ロッド２１２が常態で上向きに支持されている。
【００１５】
図４に示されるように、使用者が手動で機体１１上方の押圧ロッド２１２に圧力を加えると、揺動装置２０の、機体１１下方に軸設された紙撥ね板２２により紙屑３０が撥ね飛ばされると共に押圧され、紙屑３０の占用空間が減らされ、並びに屑受箱１２の容量が増し、有効に紙屑を捨てる頻度を減らせ、並びに紙山が後続の紙屑の落下を防止してさらには紙詰まりの故障状況を発生するのを防止できる。
【００１６】
操作者が押圧ロッド２１２の施圧を解除する時、押圧ロッド２１２及び貫通ロッド２１１はバネ２１３の上向きの回復力により常態位置に押し戻され、さらに連接棒２３の駆動により紙撥ね板２２が常態の収納位置に回復し、続いて上述の押圧動作を行なえば、紙撥ね板２２が対応する揺動動作を発生して、紙屑を押圧し平らにならす。
【図面の簡単な説明】
【００１７】
【図１】本考案がシュレッダーに取付られた外観立体図である。
【図２】本考案の揺動装置の外観図である。
【図３】本考案の揺動装置の断面図である。
【図４】本考案の揺動装置の動作図である。
【符号の説明】
【００１８】
１０  シュレッダー              １１  機体
１１１  貫通孔                  １２  屑受箱
２０  揺動装置                  ２１  押圧部品
２１１  貫通ロッド              ２１２  押圧ロッド
２１３  バネ                    ２２  紙撥ね板
２３  連接棒                    ２３１  溝孔
３０  紙屑
【図１】
0003137196.tif 000003
【図２】
0003137196.tif 000004
【図３】
0003137196.tif 000005
【図４】
0003137196.tif 000006